(57)【特許請求の範囲】
【請求項１】
液体供給配管の途中に設けられたフィルタユニットの二次側から洗浄水を供給することにより前記フィルタユニット内のフィルタを洗浄するフィルタ洗浄方法において、
洗浄水供給量より前記フィルタユニットの一次側の液体供給配管における落差に基づく排出容量を大きくしたことにより、前記ドレン配管と前記一次側の液体供給配管とを開とした状態において前記フィルタユニット内の前記洗浄水を前記一次側の液体供給配管側から排出させることで前記フィルタユニット内を周期的に負圧にさせ、
前記負圧に連動して前記フィルタユニット内にドレン配管から周期的に空気を吸い込ませ、前記フィルタを振動させて前記フィルタを洗浄するようにしたことを特徴とするフィルタ洗浄方法。
【請求項２】
液体供給配管の途中に設けられたフィルタユニットの二次側から洗浄水を供給することにより前記フィルタユニット内のフィルタを洗浄するフィルタ洗浄方法において、
第１ステップでは、前記フィルタユニットの一次側の液体供給配管を開とすると共にフィルタユニットのドレン配管を閉として前記洗浄水を前記一次側の液体供給配管に流すことにより前記フィルタの上部を集中的に洗浄し、
第２ステップでは、前記ドレン配管を開として前記洗浄水を前記一次側の液体供給配管及び前記ドレン配管に流すことにより前記フィルタ全体を洗浄し、
第３ステップでは、洗浄水供給量より前記フィルタユニットの一次側の液体供給配管における落差に基づく排出容量を大きくしたことにより、前記ドレン配管と前記一次側の液体供給配管とを開とした状態において前記フィルタユニット内の前記洗浄水を前記一次側の液体供給配管側から排出させることで前記フィルタユニット内を周期的に負圧とし、この負圧に連動して前記フィルタユニット内に前記ドレン配管から周期的に空気を吸い込ませ、前記フィルタを振動させて洗浄し、
第４ステップでは、前記フィルタユニットの一次側の液体供給配管を閉とすることにより前記フィルタユニット内に残存する夾雑物の排出及び前記フィルタ下部の洗浄を集中的に行うようにしたことを特徴とするフィルタ洗浄方法。
【請求項３】
液体供給配管の途中に設けられたフィルタユニットの二次側から洗浄水を供給することにより前記フィルタユニット内のフィルタを洗浄するフィルタ洗浄装置において、
前記フィルタユニットは、ハウジングと前記ハウジング内に設けられるフィルタから構成され、
前記ハウジングには一次側及び二次側の液体供給配管及びドレン配管が接続され、
前記二次側の液体供給配管から前記ハウジング内に供給された洗浄水は、前記一次側の液体供給配管と前記ドレン配管から排出されるようになっており、
前記一次側の液体供給配管における落差は前記ドレン配管における落差よりも大きく設定され、かつ、前記一次側の液体供給配管における落差に基づく排出容量は洗浄水供給容量よりも大きく設定されており、
前記一次側の液体供給配管及び前記ドレン配管には、それぞれ、開閉弁が設けられることを特徴とするフィルタ洗浄装置。
【請求項４】
前記一次側の液体供給配管は前記ドレン配管より大径に設定されることを特徴とする請求項３に記載のフィルタ洗浄装置。
【請求項５】
前記ハウジング上部の前記フィルタの開口部に臨む位置には二次側の液体供給配管が接続され、前記二次側の液体供給配管には、前記洗浄水を供給する洗浄水供給配管が接続されると共に前記洗浄水供給配管より下流側には吸入ポンプが設けられていることを特徴とする請求項３又は４に記載のフィルタ洗浄装置。
【請求項６】
前記二次側の液体供給配管は、水質計器に接続されていることを特徴とする請求項５に記載のフィルタ洗浄装置。
【発明の詳細な説明】
【技術分野】
【０００１】
本発明は、下水道および上水道等において用いられているフィルタ、例えば、下水道および上水道等の水質管理のために設置される水質測定装置の計測部の導入部に設置されるフィルタの洗浄方法およびフィルタ洗浄装置に関する。
【背景技術】
【０００２】
従来、上水道および下水道において用いられているフィルタの洗浄装置としては、筒状のフィルタボディ内に筒状のフィルタメッシュを挿入し、試料水をこのフィルタメッシュを通して該フィルタメッシュで試料水の濁質を除去し、濁質を除去した濾液を水質計測部に送液するようになし、フィルタメッシュは、有底の筒状で側部に流通孔を有し、その外周にスクリーンを巻装してなり、フィルタの流出側に、常時は閉じ逆洗時に開いて洗浄水を供給する洗浄バルブを設け、フィルタの流入側には、常時は閉じ逆洗時に開いて洗浄水をドレン口に排出する排水バルブを設けたものが知られている（以下、「従来技術１」という。例えば、特許文献１参照）。
【０００３】
また、濾過対象である液体に浸漬されたフィルタの二次側から気体を供給することによりこのフィルタを収納したハウジング内の圧力を上昇させ、前記フィルタの一次側に接続されたドレン口を開放することにより前記フィルタの二次側から一次側への液体の流れを発生させ、前記ドレン口の開閉を繰り返すようにした濾過装置のフィルタ洗浄方法も知られている（以下、「従来技術２」という。例えば、特許文献２参照）。
【先行技術文献】
【特許文献】
【０００４】
【特許文献１】特開２０００−１４６９４８号公報（第５頁、第４図）
【特許文献２】特開平１１−２７６８１５号公報（第３頁、第１図）
【発明の概要】
【発明が解決しようとする課題】
【０００５】
しかしながら、従来技術１及び２のように水による逆洗浄では、フィルタに頑固に絡みついた夾雑物を排除することが困難であり、また、ある程度まで夾雑物が増加してくると、試料水の通水が阻害され測定不能となるため、フィルタユニットを手動で分解して夾雑物を除去しなければならず、多くの労力を必要とするという問題があった。
【０００６】
本発明は、このような問題点に着目してなされたもので、逆洗浄時において装置の周囲に存在する大気を周期的にフィルタ部分に導入して振動させることにより、フィルタを強力に洗浄できるようにしたフィルタ洗浄方法及び装置を提供することを目的とする。
【課題を解決するための手段】
【０００７】
前記課題を解決するために、本発明のフィルタ洗浄方法は、
液体供給配管の途中に設けられたフィルタユニットの二次側から洗浄水を供給することにより前記フィルタユニット内のフィルタを洗浄するフィルタ洗浄方法において、
洗浄水供給量より前記フィルタユニットの一次側の液体供給配管における落差に基づく排出容量を大きくしたことにより、前記ドレン配管と前記一次側の液体供給配管とを開とした状態において前記フィルタユニット内の前記洗浄水を前記一次側の液体供給配管側から排出させることで前記フィルタユニット内を周期的に負圧にさせ、
前記負圧に連動して前記フィルタユニット内にドレン配管から周期的に空気を吸い込ませ、前記フィルタを振動させて前記フィルタを洗浄するようにしたことを特徴としている。
この特徴によれば、新たな空気源装置及び動力等を必要とすることなく、洗浄時において装置の周囲に存在する大気を周期的にフィルタ部分に導入して、水と空気との協同作用でフィルタの回りを振動させることが可能となり、フィルタを強力に洗浄することができる。
【０００８】
本発明のフィルタ洗浄方法は、
液体供給配管の途中に設けられたフィルタユニットの二次側から洗浄水を供給することにより前記フィルタユニット内のフィルタを洗浄するフィルタ洗浄方法において、
第１ステップでは、前記フィルタユニットの一次側の液体供給配管を開とすると共にフィルタユニットのドレン配管を閉として前記洗浄水を前記一次側の液体供給配管に流すことにより前記フィルタの上部を集中的に洗浄し、
第２ステップでは、前記ドレン配管を開として前記洗浄水を前記一次側の液体供給配管及び前記ドレン配管に流すことにより前記フィルタ全体を洗浄し、
第３ステップでは、洗浄水供給量より前記フィルタユニットの一次側の液体供給配管における落差に基づく排出容量を大きくしたことにより、前記ドレン配管と前記一次側の液体供給配管とを開とした状態において前記フィルタユニット内の前記洗浄水を前記一次側の液体供給配管側から排出させることで前記フィルタユニット内を周期的に負圧とし、この負圧に連動して前記フィルタユニット内に前記ドレン配管から周期的に空気を吸い込ませ、前記フィルタを振動させて洗浄し、
第４ステップでは、前記フィルタユニットの一次側の液体供給配管を閉とすることにより前記フィルタユニット内に残存する夾雑物の排出及び前記フィルタ下部の洗浄を集中的に行うようにしたことを特徴としている。
この特徴によれば、フィルタの上部、全体及び下部を順次洗浄できると共にフィルタユニット内に残存する夾雑物を排出することができる。特に、第３ステップにおいては、新たな空気源装置及び動力等を必要とすることなく、洗浄時において装置の周囲に存在する大気を周期的にフィルタ部分に導入して、水と空気との協同作用でフィルタの回りを振動させることが可能となり、フィルタを強力に洗浄することができる。
【０００９】
本発明のフィルタ洗浄装置は、
液体供給配管の途中に設けられたフィルタユニットの二次側から洗浄水を供給することにより前記フィルタユニット内のフィルタを洗浄するフィルタ洗浄装置において、
前記フィルタユニットは、ハウジングと前記ハウジング内に設けられるフィルタから構成され、
前記ハウジングには一次側及び二次側の液体供給配管及びドレン配管が接続され、
前記二次側の液体供給配管から前記ハウジング内に供給された洗浄水は、前記一次側の液体供給配管と前記ドレン配管から排出されるようになっており、
前記一次側の液体供給配管における落差は前記ドレン配管における落差よりも大きく設定され、かつ、前記一次側の液体供給配管における落差に基づく排出容量は洗浄水供給容量よりも大きく設定されており、
前記一次側の液体供給配管及び前記ドレン配管には、それぞれ、開閉弁が設けられることを特徴としている。
この特徴によれば、新たな空気源装置及び動力等を必要とすることなく、洗浄時において装置の周囲に存在する大気を周期的にフィルタ部分に導入して、水と空気との協同作用でフィルタの回りを振動させることが可能となり、フィルタを強力に洗浄することができる。
【００１０】
本発明のフィルタ洗浄装置は、
前記一次側の液体供給配管は前記ドレン配管より大径に設定されることを特徴としている。
この特徴によれば、洗浄水による水流は一次側の液体供給配管側に集中し、一次側の液体供給配管における落差に基づく排出容量が大きくなるため、洗浄水供給容量よりも一次側の液体供給配管の排出容量を十分に大きくすることができ、フィルタユニット内は短時間で負圧となり、ドレン配管を介して短い周期で空気が導入されるためフィルタの洗浄効果を向上させることができる。
【００１１】
本発明のフィルタ洗浄装置は、
前記ハウジング上部の前記フィルタの開口部に臨む位置には二次側の液体供給配管が接続され、前記二次側の液体供給配管には、前記洗浄水を供給する洗浄水供給配管が設続されると共に前記洗浄水供給配管より下流側には吸入ポンプが設けられていることを特徴としている。
この特徴によれば、フィルタ洗浄装置の配管系を合理的な構成とすることができる。
【００１２】
本発明のフィルタ洗浄装置は、
前記二次側の液体供給配管は、水質計器に設続されていることを特徴としている。
この特徴によれば、水質計器における水の測定を確実にすると共に水質計器の故障を防止することができる。
【図面の簡単な説明】
【００１３】
【図１】実施例１におけるフィルタ洗浄装置の全体構成を模式的に示した図であって、採水状態を示している。
【図２】実施例１におけるフィルタ洗浄装置におけるフィルタ洗浄の第１ステップを示している。
【図３】実施例１におけるフィルタ洗浄装置におけるフィルタ洗浄の第２ステップを示している。
【図４】実施例１におけるフィルタ洗浄装置におけるフィルタ洗浄の第３ステップを示している。
【図５】実施例１におけるフィルタ洗浄装置におけるフィルタ洗浄の第４ステップを示している。
【発明を実施するための形態】
【００１４】
本発明に係るフィルタ洗浄方法及び装置を実施するための形態を実施例に基づいて以下に説明する。
【実施例１】
【００１５】
実施例１に係るフィルタ洗浄方法及び装置につき、図１から図５を参照して説明する。以下、図１ないし図５の紙面中央に配置されたフィルタユニットの左側、つまり常時におけるフィルタユニットの上流側を液体供給配管の一次側とし、同右側、つまり常時におけるフィルタユニットの下流側を液体供給配管の二次側として説明する。
【００１６】
実施例１では、汚水を処理する下水処理場などの排水処理施設を例にして本発明のフィルタ洗浄方法及び装置を説明する。汚水を処理する下水処理場などの排水処理施設では、微生物の働きによって水の汚れをきれいに処理し河川や海に放流している。また、汚水には、大小様々なゴミ（以下、「夾雑物」という。）が混ざっており、汚水の処理過程で夾雑物が徐々に取り除かれる。処理過程においては、汚水の状態を把握して、安定的に制御させるための各種水質計器等が設置され、自動的に無人で測定が行われている。水質を測定するためには、汚水をサンプリングすることになるが、夾雑物が含まれていると測定不能又は故障が発生するため、事前に夾雑物を除去するためのフィルタが設置されている。
【００１７】
図１においては、排水処理施設の反応槽１内の汚水の状態を把握するための水質計器２が設置されている。水質計器２と反応槽１との間には、反応槽１内の汚水を水質計器２に導くための液体供給配管３が設けられ、該液体供給配管３の途中の水質計器２側には反応槽１内の汚水を吸入して水質計器２に送り込むための吸入ポンプ４が設けられている。
【００１８】
液体供給配管３の吸入ポンプ４の吸い込み側にはフィルタユニット５が設けられ、該フィルタユニット５と吸入ポンプ４との間の二次側の液体供給配管３ｂには洗浄水供給配管６が接続されている。また、フィルタユニット５の下方にはドレン配管７が接続されている。一次側の液体供給配管３ａにおける落差ｈ１はドレン配管７における落差ｈ２よりも大きく設定され、かつ、図２に示すように、一次側の液体供給配管３ａにおける落差に基づく排出容量Ｑ１は洗浄水供給容量Ｑ２よりも大きく設定されている。また、洗浄水による水流が一次側の液体供給配管３ａ側に集中し、反応槽１へ落下する洗浄水が重力により加速するように、一次側の液体供給配管３ａの径はドレン配管７の径より大きく設定されている。
【００１９】
一次側の液体供給配管３ａ及びドレン配管７には、それぞれ、開閉弁８及び９が設けられている。また、洗浄水供給配管６にも開閉弁１０が設けられている。本例において、開閉弁８、９及び１０は、それぞれ、電動弁により構成されている。
【００２０】
フィルタユニット５は、主として、ハウジング１５とハウジング１５内に設けられるフィルタ１６とから構成されている。ハウジング１５は、本例では、上方が下方より大径の略円錐台の形状をなしており、その中心に位置するように略円筒状のフィルタ１６が設置される。ハウジング１５の上部外径側には一次側の液体供給配管３ａが半径方向から接続され、また、ハウジング１５の中心には二次側の液体供給配管３ｂが鉛直方向から接続されている。本例では、ハウジング１５と一次側の液体供給配管３ａ及び二次側の液体供給配管３ｂとの接続部を覆うように接続アダプタ１７が設けられている。
【００２１】
フィルタ１６は、側面に複数の流通孔１６ａが設けられると共に上部及び下部は開放された形状をしており、上部はハウジング１５の上部を介して二次側の液体供給配管３ｂに接続され、下部はハウジング１５の底部との間に夾雑物を排出可能な隙間を有するようにしてドレン配管７に向けて開放され、ハウジング１５に支持されている。
【００２２】
図１は常時おける水質計器２に採水する状態を示したものであり、この採水状態では、一次側の液体供給配管３ａの開閉弁８は開状態にされ、ドレン配管７の開閉弁９及び洗浄水供給配管６の開閉弁１０は閉状態にされている。また、水質計器２に汚水を送り込むための吸入ポンプ４は駆動され、この駆動により、反応槽１内の汚水は一次側の液体供給配管３ａを介してフィルタユニット５のハウジング１５に導かれ、フィルタ１６の外周側から内周側に通過する際に夾雑物が濾過され、濾過された液体はフィルタ１６の内周側から二次側の液体供給配管３ｂを通り、吸入ポンプ４を介して水質計器２に導かれる。なお、濾過の過程でフィルタ１６の外周側には夾雑物の一部が付着すると共に下方に落下するが、落下した夾雑物はハウジング１５の底部に堆積される。
【００２３】
次に、図２ないし図５を参照しながら、フィルタ洗浄の一例について説明する。図２は、実施例１におけるフィルタ洗浄装置を用いたフィルタ洗浄方法の第１ステップを示したものである。図２のフィルタ洗浄方法の第１ステップにおいては、水質計器２に汚水を送り込むための吸入ポンプ４は停止状態にあり、洗浄水供給配管６の開閉弁１０は開状態に設定され、ドレン配管７の開閉弁９は閉状態に設定されている。
【００２４】
この状態において、夾雑物を含まない清水からなる洗浄水は、洗浄水供給配管６から二次側の液体供給配管３ｂを通り、フィルタユニット５のハウジング１５に導かれ、フィルタ１６の内周側から外周側に通過する際、フィルタ１６を洗浄、すなわち、逆洗する。フィルタ１６を通過した洗浄水は一次側の液体供給配管３ａを通り反応槽１内に排出される。ドレン配管７の開閉弁９は閉状態にあるため、洗浄水の流れは、主として、フィルタ１６の上部に生成されることから、フィルタ１６の上部が集中的に洗浄される。フィルタ１６の外周側から除去された夾雑物の大きいものはハウジング１５の底部に堆積される。
【００２５】
図３は、実施例１におけるフィルタ洗浄装置を用いたフィルタ洗浄方法の第２ステップを示したものである。図３のフィルタ洗浄方法の第２ステップにおいては、図２の状態からドレン配管７の開閉弁９が開状態に設定されている。
【００２６】
洗浄水は、洗浄水供給配管６から二次側の液体供給配管３ｂを通り、フィルタユニット５のハウジング１５に導かれ、フィルタ１６の内周側から外周側に通過して一次側の液体供給配管３ａに導かれる流れとフィルタ１６の外周側から下方に向かう流れ、及び、フィルタ１６の内周からドレン配管７に直接導かれる流れに分けられる。その際、一次側の液体供給配管３ａにおける落差ｈ１はドレン配管７における落差ｈ２よりも大きく設定され、また、一次側の液体供給配管３ａの径はドレン配管７の径より大きく設定されているため、洗浄水の多くは一次側の液体供給配管３ａに導かれる流れとなるが、洗浄水の一部はフィルタ１６の内外周に沿って下方にも流れることから、フィルタ１６の全体が洗浄される。同時に、上記した第１ステップでハウジング１５の下部に堆積した夾雑物もドレン配管７を介して反応槽１に排出される。
【００２７】
図４は、実施例１におけるフィルタ洗浄装置を用いたフィルタ洗浄方法の第３ステップを示したものである。図４のフィルタ洗浄方法の第３ステップにおいては、開閉弁８、９及び１０は開弁状態にあり、図２の状態と同じである。
【００２８】
上記したように、一次側の液体供給配管３ａにおける落差ｈ１はドレン配管７における落差ｈ２よりも大きく設定され、かつ、一次側の液体供給配管３ａにおける落差に基づく排出容量Ｑ１は洗浄水供給容量Ｑ２よりも大きく設定されているため、第２ステップの状態は長くは続かず、洗浄水は全て一次側の液体供給配管３ａから反応槽１に排出されると共に、フィルタユニット５内は負圧になり、この負圧に連動してフィルタユニット５内にドレン配管７から空気が吸い込まれる。フィルタユニット５内に空気が吸い込まれると、洗浄水と空気の混合により空気の泡がつぶされてキャビテーション等が発生し、フィルタ１６が振動され、この振動エネルギーによりフィルタ１６は強力に洗浄される。
【００２９】
フィルタユニット５内に一定量の空気が吸い込まれると、フィルタユニット５内の負圧状態は一時的に解消され、洗浄水は一次側の液体供給配管３ａ及びドレン配管７の両方から排出される。しかし、この状態は長くは続かず、再び、洗浄水は全て一次側の液体供給配管３ａから反応槽１に排出されると共に、フィルタユニット５内は負圧になり、この負圧に連動してフィルタユニット５内にドレン配管７から空気が吸い込まれる。この状態は周期的に反復される。
【００３０】
図５は、実施例１におけるフィルタ洗浄装置を用いたフィルタ洗浄方法の第４ステップを示したものである。図５のフィルタ洗浄方法の第４ステップにおいては、一次側の液体供給配管３ａの開閉弁８は閉弁状態に操作され、ドレン配管７の開閉弁９及び洗浄水供給配管６の開閉弁１０は開弁状態にある。
【００３１】
第４ステップでは、洗浄水供給配管６から供給された洗浄水は、二次側の液体供給配管３ｂを通り、フィルタユニット５のハウジング１５に導かれ、フィルタ１６の内周側から直接ドレン配管７に流れる流れと、フィルタ１６の内周側から外周側に通過し、続いてドレン配管７に流れる流れとに分かれる。これらの流れにより、フィルタ１６の内外周に残存する夾雑物がドレン配管７を介して反応槽１に排出される。また、一次側の液体供給配管３ａの開閉弁８が閉弁状態にあることから、これらの流れは、主として、フィルタ１６の下部を通過するため、フィルタ１６の下部が集中的に洗浄される。同時に、ハウジング１５の下部に残存した夾雑物もドレン配管７を介して反応槽１に排出される。
【００３２】
上記したように、実施例１に係るフィルタ洗浄方法は、以下のような効果を奏する。
（１）洗浄水供給量よりフィルタユニット５の一次側の液体供給配管３ａにおける落差に基づく排出容量を大きくして前記フィルタユニット内を周期的に負圧にさせ、該負圧に連動してフィルタユニット５内にドレン配管７から周期的に空気を吸い込ませ、フィルタ１６を振動させてフィルタ１６を洗浄するようにしたことにより、新たな空気源装置及び動力等を必要とすることなく、洗浄時において装置の周囲に存在する大気を周期的にフィルタ部分に導入して、水と空気との協同作用でフィルタの回りを振動させることが可能となり、フィルタを強力に洗浄することができる。
（２）第１ステップでは、フィルタユニット５の一次側の液体供給配管３ａを開とすると共にフィルタユニット５のドレン配管７を閉として洗浄水を一次側の液体供給配管３ａに流すことにより前記フィルタの上部を集中的に洗浄し、第２ステップでは、ドレン配管７を開として洗浄水を一次側の液体供給配管３ａ及びドレン配管７に流すことによりフィルタ１６全体を洗浄し、第３ステップでは、洗浄水供給量よりフィルタユニット５の一次側の液体供給配管３ａにおける落差に基づく排出容量を大きくしてフィルタユニット５内を周期的に負圧にさせ、この負圧に連動してフィルタユニット５内にドレン配管７から周期的に空気を吸い込ませ、フィルタ１６を振動させて洗浄し、第４ステップでは、フィルタユニット５の一次側の液体供給配管３ａを閉とすることによりフィルタユニット５内に残存する夾雑物の排出及び前記フィルタ下部の洗浄を集中的に行うようにしたことにより、フィルタの上部、全体及び下部を順次洗浄できると共にフィルタユニット内に残存する夾雑物を排出することができる。特に、第３ステップにおいては、新たな空気源装置及び動力等を必要とすることなく、洗浄時において装置の周囲に存在する大気を周期的にフィルタ１６部分に導入して、水と空気との協同作用でフィルタの回りを振動させることが可能となり、フィルタを強力に洗浄することができる。
【００３３】
また、実施例１に係るフィルタ洗浄装置は、以下のような効果を奏する。
（１）フィルタユニット５は、ハウジング１５とハウジング１５内に設けられるフィルタ１６から構成され、ハウジング１６には一次側及び二次側の液体供給配管３ａ、３ｂ及びドレン配管７が接続され、一次側の液体供給配管３ａにおける落差ｈ１はドレン配管７における落差ｈ２よりも大きく設定され、かつ、一次側の液体供給配管３ａにおける落差に基づく排出容量Ｑ１は洗浄水供給容量Ｑ２よりも大きく設定されており、一次側の液体供給配管３ａ及びドレン配管７には、それぞれ、開閉弁８、９が設けられることにより、新たな空気源装置及び動力等を必要とすることなく、洗浄時において装置の周囲に存在する大気を周期的にフィルタ部分に導入して、水と空気との協同作用でフィルタの回りを振動させることが可能となり、フィルタを強力に洗浄することができる。
（２）一次側の液体供給配管３ａはドレン配管７より大径に設定されることにより、洗浄水による水流は一次側の液体供給配管３ａ側に集中し、一次側の液体供給配管３ａにおける落差に基づく排出容量が大きくなるため、洗浄水供給容量Ｑ２よりも一次側の液体供給配管３ａの排出容量Ｑ１を十分に大きくすることができ、フィルタユニット５内は短時間で負圧となり、ドレン配管７を介して短い周期で空気が導入されるためフィルタ１６の洗浄効果を向上させることができる。
（３）ハウジング１５上部のフィルタ１６の開口部に臨む位置には二次側の液体供給配管３ｂが接続され、二次側の液体供給配管３ｂには、洗浄水を供給する洗浄水供給配管６が設続されると共に洗浄水供給配管６より下流側には吸入ポンプ１４が設けられていることにより、フィルタ洗浄装置の配管系を合理的な構成とすることができる。
（４）二次側の液体供給配管３ｂは、水質計器２に設続されていることにより、水質計器２における水の測定を確実にすると共に水質計器２の故障を防止することができる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、前記実施例１では、第１ステップから第４ステップからなる洗浄方法の一例について説明したが、本発明の洗浄方法はこれに限定されることなく、例えば、少なくとも第３ステップの洗浄方法を包含するものであればよい。
【００３６】
また、例えば、前記実施例１では、汚水を処理する下水処理場などの排水処理施設を例にしてフィルタ洗浄方法及び装置を説明したが、本発明はこれに限定されることなく、上水道等において用いられてもよい。
【００３７】
また、例えば、前記実施例１では、水質計器の導入部に設置される液体供給配管にフィルタ洗浄装置が装着される場合について説明したが、本発明はこれに限定されることなく、下水道配管又は上水道配管に装着することも可能である。
【符号の説明】
【００３８】
１                反応槽
２                水質計器
３                液体供給配管
３ａ              一次側の液体供給配管
３ｂ              二次側の液体供給配管
４                吸入ポンプ
５                フィルタユニット
６                洗浄水供給配管
７                ドレン配管
８                一次側の液体供給配管の開閉弁
９                ドレン配管の開閉弁
１０              洗浄水供給配管の開閉弁
１５              ハウジング
１６              フィルタ
１７              接続アダプタ
Ｑ１              一次側の液体供給配管における落差に基づく排出容量
Ｑ２              洗浄水供給容量
ｈ１              一次側の液体供給配管における落差
ｈ２              ドレン配管における落差
【図１】
0006038767.tif 000002
【図２】
0006038767.tif 000003
【図３】
0006038767.tif 000004
【図４】
0006038767.tif 000005
【図５】
0006038767.tif 000006